(57)【要約】【課題】太陽光発電ユニット上に水が溜まる問題を解決し、防水の効果をもたらす。【解決手段】  本発明は、太陽光発電ユニット固定用の連結機構及び太陽光発電カーテンウォールに関する。当該連結機構は、固定溝が設けられるブラケットと、前記固定溝に着脱可能に取り付けられるスライドレールとを備える。スライドレールには、太陽光発電ユニットを取り付けるスライドスロットが設けられ、スライドスロットとスライドレールの底面との間が所定の傾斜角を有する。第１のスライドスロットの第１の端がスライドレールの第１の端に重なり合い、第２のスライドスロットの第２の端がスライドレールの第２の端に重なり合う。当該連結機構は、太陽光発電ユニットに対する取り付・固定を実現するとともに、太陽光発電ユニット上に水が溜まる問題を解決することができる。【選択図】図３
2019134659.tif 000002
【特許請求の範囲】
【請求項１】
固定溝が設けられるブラケットと、
前記固定溝に着脱可能に取り付けられるスライドレールと、を備え、
前記スライドレールには、前記スライドレールの第１の端から前記スライドレールの第２の端へ第１の所定長を延在する第１のスライドスロットと、前記スライドレールの第２の端から前記スライドレールの第１の端へ第２の所定長を延在する第２のスライドスロットとが設けられ、前記第１のスライドスロットが傾斜して設けられ、前記第２のスライドスロットの第１の端の所在する平面での前記第１のスライドスロットの第１の端の中心の投影が前記第２のスライドスロットの第１の端の中心に重なり合い、前記第２のスライドスロットの第１の端の所在する平面での前記第１のスライドスロットの第２の端の投影が前記第２のスライドスロットの第１の端の下部に位置し、前記第１のスライドスロットの第１の端が前記スライドレールの第１の端に重なり合い、前記第２のスライドスロットの第１の端が前記スライドレールの第２の端に重なり合うことを特徴とする太陽光発電ユニット固定用の連結機構。
【請求項２】
前記第１の所定長は、前記第２の所定長より大きいことを特徴とする請求項１に記載の太陽光発電ユニット固定用の連結機構。
【請求項３】
前記スライドレールの底面に垂直な方向において、前記第２のスライドスロットと前記第１のスライドスロットの間に仕切り板が設けられていることを特徴とする請求項２に記載の太陽光発電ユニット固定用の連結機構。
【請求項４】
前記第２のスライドスロットは、その第１の端からその第２端へ向かう方向に進行するにつれて徐々に縮小するラッパ口状をなすことを特徴とする請求項２に記載の太陽光発電ユニット固定用の連結機構。
【請求項５】
前記ブラケット上には、防水溝が設けられていることを特徴とする請求項１に記載の太陽光発電ユニット固定用の連結機構。
【請求項６】
前記ブラケットは、支持部、立設板および蓋板を備え、
前記立設板の一端が前記支持部の上面に固定接続され、前記立設板の他端が前記蓋板に固定接続され、前記蓋板と前記立設板と前記支持部の上面との間に前記固定溝が形成され、
前記立設板は、前記支持部の対称中心上に設けられ、前記支持部の上方を互いに対称する２つの前記固定溝に区画することを特徴とする請求項１〜５の何れか一項に記載の太陽光発電ユニット固定用の連結機構。
【請求項７】
前記支持部の幅方向における両端には、前記支持部の上面から凸となる排水板がそれぞれ設けられ、前記排水板と前記支持部の上面との間には、前記防水溝が形成されていることを特徴とする請求項６に記載の太陽光発電ユニット固定用の連結機構。
【請求項８】
前記支持部は、上支持板と、底板と、２つのサイド支持板とを備え、２つの前記サイド支持板の一端が前記上支持板の幅方向における両端にそれぞれ固定接続され、２つの前記サイド支持板の他端が何れも前記底板に固定接続されていることを特徴とする請求項６に記載の太陽光発電ユニット固定用の連結機構。
【請求項９】
傾斜設置される前記第１のスライドスロットと前記スライドレールの底部との間の夾角は、０．４７±０．０３度であることを特徴とする請求項１に記載の太陽光発電ユニット固定用の連結機構。
【請求項１０】
複数の太陽光発電ユニットを備える太陽光発電カーテンウォールであって、
請求項１〜９の何れか一項に記載の太陽光発電ユニット固定用の連結機構を複数備え、各々の太陽光発電ユニットにおいて、互いに対向する両辺が２つの太陽光発電ユニット固定用の連結機構における第１のスライドスロットにそれぞれ取り付けられ、前記第１のスライドスロットに露出される一辺の一端が、それと隣接する別の連結機構に設けられる第２のスライドスロット内に挿入されることを特徴とする太陽光発電カーテンウォール。
【発明の詳細な説明】
【技術分野】
【０００１】
本発明は、太陽光発電技術分野に関し、特に太陽光発電ユニット固定用の連結機構および太陽光発電カーテンウォールに関する。
【背景技術】
【０００２】
従来技術において、太陽光発電ユニットは太陽光発電所の重要な構成部品であり、太陽光発電ユニットに封止された電池シートは光起電力効果により直流電圧を生成して発電を実現する。太陽光発電ユニットは、通常太陽光発電アレイを形成して発電する。それにより形成される太陽光発電アレイは、取り付け台を介して取り付けられる。一般的な取り付け台は、ブラケットと、対向して配置される２つのサイドフレームと、２つのサイドフレームの間に取り付けられる太陽光発電ユニットと、２つのサイドフレームの間に設けられて２つのサイドフレームをブラケット上に固定するブロックプレス装置とを備える。ただし、当該ブロックプレス装置は、ボルトを介してブラケット上に固定される。このような取付方式は、固定・取付の工数が多く、ユニットアレイの位置合わせが困難であり、防水の作用が果たせない等のデメリットが存在する。
【発明の概要】
【発明が解決しようとする課題】
【０００３】
本発明の目的は、上記従来技術における課題を解決し、防水性能を向上するとともに、太陽光発電ユニットの快速な取付・固定を図る、太陽光発電ユニット固定用の連結機構および太陽光発電カーテンウォールを提供することである。
【課題を解決するための手段】
【０００４】
本発明は、太陽光発電ユニット固定用の連結機構を提供する。当該太陽光発電ユニット固定用の連結機構は、固定溝が設けられるブラケットと、前記固定溝に着脱可能に取り付けられるスライドレールと、を備え、前記スライドレールには、前記スライドレールの第１の端から前記スライドレールの第２の端へ第１の所定長を延在する第１のスライドスロットと、前記スライドレールの第２の端から前記スライドレールの第１の端へ第２の所定長を延在する第２のスライドスロットとが設けられ、前記第１のスライドスロットが傾斜して設けられ、前記第２のスライドスロットの第１の端の所在する平面での前記第１のスライドスロットの第１の端の中心の投影が前記第２のスライドスロットの第１の端の中心に重なり合い、前記第２のスライドスロットの第１の端の所在する平面での前記第１のスライドスロットの第２の端の投影が前記第２のスライドスロットの第１の端の下部に位置し、前記第１のスライドスロットの第１の端が前記スライドレールの第１の端に重なり合い、前記第２のスライドスロットの第１の端が前記スライドレールの第２の端に重なり合う。
【０００５】
上述の太陽光発電ユニット固定用の連結機構において、好ましくは、前記第１の所定長は、前記第２の所定長より大きい。
【０００６】
上述の太陽光発電ユニット固定用の連結機構において、好ましくは、前記スライドレールの底面に垂直な方向において、前記第２のスライドスロットと前記第１のスライドスロットの間に仕切り板が設けられている。
【０００７】
上述の太陽光発電ユニット固定用の連結機構において、好ましくは、前記第２のスライドスロットは、その第１の端からその第２の端へ向かう方向に進行するにつれて徐々に縮小するラッパ口状をなす。
【０００８】
上述の太陽光発電ユニット固定用の連結機構において、好ましくは、前記ブラケット上には、防水溝が設けられている。
【０００９】
上述の太陽光発電ユニット固定用の連結機構において、好ましくは、前記ブラケットは、支持部、立設板および蓋板を備え、前記立設板の一端が前記支持部の上面に固定接続され、前記立設板の他端が前記蓋板に固定接続され、前記蓋板と前記立設板と前記支持部の上面との間に前記固定溝が形成され、前記立設板は、前記支持部の対称中心上に設けられ、前記支持部の上方を互いに対称する２つの前記固定溝に区画する。
【００１０】
上述の太陽光発電ユニット固定用の連結機構において、好ましくは、前記支持部の幅方向における両端には、前記支持部の上面から凸となる排水板がそれぞれ設けられ、前記排水板と前記支持部の上面との間には、前記防水溝が形成されている。
【００１１】
上述の太陽光発電ユニット固定用の連結機構において、好ましくは、前記支持部は、上支持板と、底板と、２つのサイド支持板とを備え、２つの前記サイド支持板の一端が前記上支持板の幅方向における両端にそれぞれ固定接続され、２つの前記サイド支持板の他端が何れも前記底板に固定接続されている。
【００１２】
上述の太陽光発電ユニット固定用の連結機構において、好ましくは、前記上支持板の下面と底板には補強筋が設けられる。
【００１３】
上述の太陽光発電ユニット固定用の連結機構において、好ましくは、傾斜設置される前記第１のスライドスロットと前記スライドレールの底部との間の夾角は、０．４７±０．０３度である。
【００１４】
本発明は、その他の太陽光発電ユニット固定用の連結機構を提供する。当該太陽光発電ユニット固定用の連結機構は、スライドレールを備え、前記スライドレールには、前記スライドレールの第１の端から前記スライドレールの第２の端へ延在する第１のスライドスロットと、前記スライドレールの第２の端から前記スライドレールの第１の端へ延在する第２のスライドスロットとが設けられる。前記第１のスライドスロットは前記スライドレールの底面に対して傾斜して設けられ、前記第１のスライドスロットの第１の端と前記第２のスライドスロットの第１の端は前記スライドレールの対向する側面における同一な位置に配置される。
【００１５】
上述の太陽光発電ユニット固定用の連結機構において、好ましくは、前記第１のスライドスロットは前記第２スライドスロットの下部まで延在する。
【００１６】
上述の太陽光発電ユニット固定用の連結機構において、好ましくは、前記第２のスライドスロットは前記スライドレールの底面と平行に配置される。
【００１７】
上述の太陽光発電ユニット固定用の連結機構において、好ましくは、前記第２のスライドスロットの第１の端の開口はテーパー状を呈する。
【００１８】
上述の太陽光発電ユニット固定用の連結機構において、好ましくは、当該太陽光発電ユニット固定用の連結機構は、さらに、ブラケットを備え、前記ブラケットには固定溝が設けられ、前記スライドレールは前記固定溝に着脱可能に取り付けられる。
【００１９】
上述の太陽光発電ユニット固定用の連結機構において、好ましくは、前記ブラケットは、支持部、立設板および蓋板を備え、前記立設板の一端が前記支持部の上面に固定接続され、前記立設板の他端が前記蓋板に固定接続され、前記蓋板と前記立設板と前記支持部の上面との間に前記固定溝が形成され、
前記立設板は、前記支持部の対称中心の上に設けられ、前記支持部の上方を互いに対称する２つの前記固定溝に区画する。
【００２０】
上述の太陽光発電ユニット固定用の連結機構において、好ましくは、前記支持部の幅方向における両端には、前記支持部の上面から凸となる排水板がそれぞれ設けられ、前記排水板と前記支持部の上面との間には、防水溝が形成されている。
【００２１】
上述の太陽光発電ユニット固定用の連結機構において、好ましくは、前記支持部は、上支持板と、底板と、２つのサイド支持板とを備え、２つの前記サイド支持板の一方端が前記上支持板の幅方向における両端にそれぞれ固定接続され、２つの前記サイド支持板の他方端が何れも前記底板に固定接続されている。
【００２２】
本発明は、太陽光発電カーテンウォールを更に提供する。当該太陽光発電カーテンウォールは、複数の太陽光発電ユニットを備え、さらに、本発明に係る太陽光発電ユニット固定用の連結機構を複数備え、各々の太陽光発電ユニットにおいて、互いに対向する両辺は２つの太陽光発電ユニット固定用の連結機構における第１のスライドスロットにそれぞれ取り付けられ、前記第１のスライドスロットに露出される一端が、それと隣接する別の１つの連結機構に設けられる第２のスライドスロット内に挿入される。
【００２３】
上述した太陽光発電カーテンウォールにおいて、好ましくは、複数の太陽光発電ユニット固定用の連結機構を平行に配置して、隣接する２つの前記太陽光発電ユニット固定用の連結機構間で一つの太陽光発電ユニットを固定することにより、複数の太陽光発電ユニットが平行に配置されて連結形成される太陽光発電カーテンウォールを形成する。
【発明の効果】
【００２４】
本発明に係る太陽光発電ユニット固定用の連結機構および太陽光発電カーテンウォールは、ブラケット上に取付可能なスライドレールを設置することにより、太陽光発電ユニットに対する取付・固定及び連結を実現するとともに、スライドレールに傾斜するスライドスロットを設けることにより、太陽光発電ユニット上に水が溜まる課題を解決し、防水の効果を達成する。
【図面の簡単な説明】
【００２５】
【図１】本発明の実施例に係る太陽光発電ユニット固定用の連結機構の１つの視角での構造を示す模式図である。
【図２】本発明の実施例に係る太陽光発電ユニット固定用の連結機構の別の視角での構造を示す模式図である。
【図３】スライドレールとブラケットとの係合の状態図である。
【図４】２つの本発明の実施例に係る太陽光発電ユニット固定用の連結機構を組み立てた構造を示す模式図である。
【図５】２つの本発明の実施例に係る太陽光発電ユニット固定用の連結機構を組み立てた局所模式図である。
【図６】２つの本発明の実施例に係る太陽光発電ユニット固定用の連結機構を組み立てた局所拡大図である。
【図７】スライドレールの構造模式図である。
【図８】スライドレールの第１の端の拡大図である。
【図９】スライドレールの第２の端の拡大図である。
【図１０】ブラケットの正面図である。
【図１１】第２のスライドスロットの図９のＡ−Ａ方向における断面図である。
【発明を実施するための形態】
【００２６】
以下、本発明の実施例を詳細に説明する。実施例が図面に示され、同じ又は類似する符号は、同じ又は類似する部品を表すか、同じ又は類似する機能を有する部品を表す。以下に図面を参照しながら記述される実施例は例示であり、本発明の説明として解釈され、本発明に対して制限することに解釈されない。
【００２７】
図１〜図１０を同時に参照すると、本発明の実施例は、太陽光発電ユニット固定用の連結機構を提供する。それは、ブラケット２００及びスライドレール３００を備える。ブラケット２００には、固定溝２６０が設けられ、スライドレール３００は、固定溝２６０に着脱可能に取り付けられている。スライドレール３００には、スライドレール３００の第１の端Ｚ１からスライドレール３００の第２の端Ｚ２へ第１の所定長を延在する第１のスライドスロット３１０と、スライドレール３００の第２の端Ｚ２からスライドレール３００の第１の端Ｚ１へ第２の所定長を延在する第２のスライドスロット３２０とが設けられている。第１のスライドスロット３１０は、傾斜して設けられ、第１のスライドスロット３１０の第１の端Ｘ１の中心の、第２のスライドスロット３２０の第１の端Ｘ２の所在する平面での投影は、第２のスライドスロット３２０の第１の端Ｘ２の中心に重なり合う。第１のスライドスロット３１０の第２の端Ｙ１の、第２のスライドスロット３２０の第１の端Ｘ２の所在する平面での投影は、第２のスライドスロット３２０の第１の端Ｘ２の下部に位置する。第１のスライドスロット３１０の第１の端Ｘ１は、スライドレール３００の第１の端Ｚ１に重なり合い、第２のスライドスロット３２０の第１の端は、スライドレール３００の第２の端Ｚ２に重なり合う。
【００２８】
図１〜図１０に示すように、スライドレール３００に設けられる第１のスライドスロット３１０はスライドレール３００の底面に対して傾斜して設けられ、第２のスライドスロット３２０はスライドレール３００の底面に平行に配置され、第１のスライドスロット３１０の第１の端Ｘ１と第２のスライドスロット３２０の第１の端Ｘ２はスライドレール３００の対向する側面における同一な位置に配置され、第１のスライドスロット３１０は第２のスライドスロット３２０の下部まで延在する。また、第２のスライドスロット３２０は第１のスライドスロット３１０に平行に配置されてもいいが、こうすると、スライドレール３００の厚さが増加される。
【００２９】
太陽光発電ユニット１００は、一般的に厚みが均一の板状構造をなす。単一の太陽光発電ユニット１００に対して固定を行う際、板状の太陽光発電ユニット１００の両側の縁が対向して配置される２つのスライドレール３００の第１のスライドスロット３１０に係止されるように、２群の当該連結機構を対称に設置することにより、取付・固定を実現する。従来技術では、板状の太陽光発電ユニット１００を取付・固定した後、太陽光発電ユニット１００の上に溜まった水を即時に除去できず、一般的に自然蒸発の方式で水分を徐々に消失させるが、このようにすると、太陽光発電ユニット１００の表面状態のメンテナンスが困難になる。本実施例では、スライドレール３００における第１のスライドスロット３１０が傾斜して設けられることにより、第１のスライドスロット３１０に取り付けられる太陽光発電ユニット１００は傾斜状態となり、よって、太陽光発電ユニット１００上の液体は即時に流れ落ちて、太陽光発電ユニット１００上に水が溜まる従来技術の問題を解決する。
【００３０】
詳細に言えば、図７〜図９を参照し、第１のスライドスロット３１０の第１の端Ｘ１がスライドレール３００の第１の端Ｚ１を貫通し、第１のスライドスロット３１０の第２の端Ｙ１がスライドレール３００の第２の端Ｚ２を貫通しないことによって、太陽光発電ユニット１００の取付けに位置制限や支持を与える。また、第２のスライドスロット３２０の第１の端Ｘ２がスライドレール３００の第２の端を貫通し、第２のスライドスロット３２０がスライドレール３００の長さ方向に延在する第２の所定長は、第１のスライドスロット３１０がスライドレール３００の長さ方向で延在する第１の所定長より小さい。なお、第１のスライドスロット３１０の第１の端Ｘ１の中心の、第２のスライドスロット３２０の第１の端Ｘ２の所在する平面での投影は、第２のスライドスロット３２０の第１の端Ｘ２の中心に重なり合う。これにより、１つのスライドレール３００における第２のスライドスロット３２０の第１の端Ｘ２は、別の１つのスライドレール３００における第１のスライドスロット３１０の第１の端Ｘ１に連通する。太陽光発電ユニット１００は、１つのスライドレール３００における第１のスライドスロット３１０に取り付けられた後、当該太陽光発電ユニット１００における当該第１のスライドスロット３１０に接近する第１の端Ｘ１の側が当該第１のスライドスロット３１０の第１の端Ｘ１の端面から凸出し、当該凸出の部分は別の１つのスライドレール３００の第２のスライドスロット３２０に挿入することにより、太陽光発電ユニット１００の両端に対する固定が実現され、太陽光発電ユニット１００の取付・固定の信頼性は向上される。また、複数の当該太陽光発電ユニット固定用の連結機構のスライドレール３００の長さ方向における連結を実現し、複数の太陽光発電ユニット１００に対する固定・取付を実現し、太陽光発電カーテンウォールが形成される。さらに、複数の太陽光発電ユニット１００を取付けた後の水が溜まる問題も回避できる。
【００３１】
上記実施例において、第１の所定長と第２の所定長の和は、太陽光発電ユニット１００の長さと同じまたは僅かに大きく設定することによって、太陽光発電ユニット１００の取付・固定の信頼性を更に向上させ、複数の当該太陽光発電ユニット１００固定用の連結機構を、スライドレール３００の長さ方向に連結し、太陽光発電カーテンウォールの形成を実現できる。
【００３２】
上記太陽光発電ユニット１００は、チップのみを含んでもよく、チップを支持および保護するサイドフレームを含んでもよい。
【００３３】
なお、太陽光発電ユニット１００の取付を便利にするように、傾斜して設置される第１のスライドスロット３１０とスライドレール３００の底部との間の夾角βは、０．４７±０．０３度であってもよい。
【００３４】
図９に示すように、太陽光発電ユニット１００の端部が温度の影響を受けて変形することを回避するために、スライドレール３００の底面に垂直な方向において、第２のスライドスロット３２０と第１のスライドスロット３１０との間に仕切り板３３０が設けられる。上記仕切り板３３０は、スライドレール３００に第１のスライドスロット３１０と第２のスライドスロット３２０を形成する際に、第１のスライドスロット３１０が第２のスライドスロット３２０の下部まで延在して形成されたものである。これにより、太陽光発電ユニット１００の端部を支持し、変形を防止する。
【００３５】
さらに、図１１に示すように、第２のスライドスロット３２０において、スライドレール３００の長さ方向に向けて延在する一面と、スライドレール３００の側面との間は所定の夾角αを有する。即ち、第２のスライドスロット３２０は、ラッパ口状で、具体的にその第１の端からその第２の端の方向に向け徐々に縮小するラッパ口状である。太陽光発電ユニット１００は第２のスライドスロット３２０に係合された後、太陽光発電ユニット１００と第２のスライドスロット３２０の間に、所定の隙間が発生する。これによって、材料の熱膨張・冷収縮による太陽光発電ユニット１００の取付けがにくい、または押圧され過ぎる現象が生じることが回避される。また、太陽光発電ユニット１００の挿入を容易にするために、第２のスライドスロット３２０の第１の端Ｘ２の開口はテーパー状を呈する。
【００３６】
さらに、当該太陽光発電ユニット固定用の連結機構上の液体を即時に排出するために、ブラケット２００に防水溝２８０を設け、液体は、防水溝２８０を介してブラケット２００から流れ落ちることができる。
【００３７】
具体的に、図１０に示すように、当該ブラケット２００は、支持部、立設板２２０及び蓋板２１０を備えてもよい。立設板２２０の一端が支持部の上面に固定接続され、立設板２２０の他端が蓋板２１０に固定接続される。蓋板２１０と、立設板２２０と、支持部の上面との間には、固定溝２６０が形成される。蓋板２１０と立設板２２０は、スライドレール３００に立設方向と水平方向での位置制限を提供し、スライドレール３００の取付・固定の信頼性を保証する。また、立設板は、支持部の対称中心上に設けられることにより、前記支持部の上方を互いに対称する２つの固定溝２６０に区画することによって、ブラケット２００の両側にて太陽光発電ユニット１００を固定することができる。これにより、複数の当該連結機構を平行に配置し、また隣接する２つの当該連結機構間に太陽光発電ユニット１００を固定することにより、複数の太陽光発電ユニットが継続して連結される太陽光発電カーテンウォールを形成する。
【００３８】
さらに、支持部の幅方向における両端には、支持部の上面から凸出する排水板２５０がそれぞれ設けられ、排水板２５０と支持部の上面との間に防水溝が形成されることにより、ブラケット２００上に流れ込んだ液体を防水溝から流れ出し、防水機能をさらに発揮し、太陽光発電ユニット１００の表面の状態を確保する。
【００３９】
具体的に、図１０に示すように、支持部は、上支持板、底板２３０及び２つのサイド支持板を備えてもよい。２つのサイド支持板の一端は上支持板の幅方向における両端にそれぞれ固定接続され、２つのサイド支持板の他端が何れも底板２３０に固定接続されることにより、フレーム構造となり、構造の安定性を向上する。
【００４０】
ブラケット２００の構造強度を向上させるために、上支持板と底板２３０に補強筋２４０が設けられてもよい。
【００４１】
本発明の実施例は、複数の太陽光発電ユニットを備える太陽光発電カーテンウォールを更に提供する。当該太陽光発電カーテンウォールは、さらに、本発明の任意の実施例に係る太陽光発電ユニット固定用の連結機構を複数備える。各々の太陽光発電ユニットにおいて、互いに対向する両辺は、２つの当該太陽光発電ユニット固定用の連結機構における第１のスライドスロット３１０にそれぞれ取り付けられ、第１のスライドスロット３１０内に取り付けられる一辺の一端は、それと隣接する別の１つの連結機構に設けられる第２のスライドスロット３２０内に挿入される。具体的に、１つの実施例において、当該太陽光発電ユニット固定用の連結機構は平行して４群が設けられてもよく、隣り合う２つの当該太陽光発電ユニット固定用の連結機構の間に１つの太陽光発電ユニット１００が固定されることにより、３つの太陽光発電ユニット１００の連結によって形成された太陽光発電カーテンウォールを形成する。無論、これを基に、当該４群の太陽光発電ユニット固定用の連結機構は、長さ方向に他の４群の当該太陽光発電ユニット固定用の連結機構を引き続き連結することにより、６つの太陽光発電ユニット１００からなる太陽光発電カーテンウォールを形成する。無論、具体的な数は、実際のニーズに応じて設計可能であり、本実施例で限定しない。
【００４２】
本発明の実施例に係る太陽光発電ユニット固定用の連結機構および太陽光発電カーテンウォールでは、ブラケット上に取付可能なスライドレールを設置することにより、太陽光発電ユニットに対する取付・固定を実現する。また、スライドレールに傾斜するスライドスロットを設けることにより、太陽光発電ユニットの上に水が溜まる問題を解決し、防水の効果を達成する。
【００４３】
以上、図面に示す実施例をもとに、本発明の構造、特徴および作用効果を説明した。上述の説明は、本発明のより良い実施例である。本発明は、図面で実施範囲を限定するものではない。本発明の思想に基づいてなされた変更や改良が、均等変化である均等な実施例で、明細書および図面がカバーする精神を逸脱しない限り、本発明の保護範囲内に含まれるべきである。
【符号の説明】
【００４４】
１００  太陽光発電ユニット
２００  ブラケット
２１０  蓋板
２２０  立設板
２３０  底板
２４０  補強筋
２５０  排水板
２６０  固定溝
２７０  支持部
２７１  上支持板
２７２  サイド支持板
２８０  防水溝
３００  スライドレール
３１０  第１のスライドスロット
３２０  第２のスライドスロット
３３０  仕切り板
Ｘ１  第１のスライドスロットの第１の端
Ｘ２  第２のスライドスロットの第１の端
Ｙ１  第１のスライドスロットの第２の端
Ｙ２  第２のスライドスロットの第２の端
Ｚ１  スライドレールの第１の端
Ｚ２  スライドレールの第２の端
α  夾角
β  夾角
【図１】
2019134659.tif 000003
【図２】
2019134659.tif 000004
【図３】
2019134659.tif 000005
【図４】
2019134659.tif 000006
【図５】
2019134659.tif 000007
【図６】
2019134659.tif 000008
【図７】
2019134659.tif 000009
【図８】
2019134659.tif 000010
【図９】
2019134659.tif 000011
【図１０】
2019134659.tif 000012
【図１１】
2019134659.tif 000013